Podtech/llm-jp-corpus-v4-ja_patent huggingface dataset:
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
ドングルが電気的に及び機械的に接続される装置に、直流電力を供給するバッテリであって、前記バッテリは、取り外され、別のバッテリと置き換えられるように適応される、バッテリと、
前記バッテリにより生成される熱を放散させるよう構成されるヒートシンクであって、前記ヒートシンクは、取り外され、別のヒートシンクと置き換えられるように適応される、ヒートシンクと、
を有するドングル。
【請求項２】
前記装置からデータを受信し、前記データを送信するトランシーバを更に有する、請求項１に記載のドングル。
【請求項３】
メモリを更に有し、前記メモリが、前記ドングルから取り外され、別のメモリと置き換えられるように構成される、請求項２に記載のドングル。
【請求項４】
前記ヒートシンクが相変化材料を含む、請求項１に記載のドングル。
【請求項５】
前記ヒートシンクが、前記バッテリからの熱交換を促進するに十分大きな熱導電率を有する物質を含む、請求項１に記載のドングル。
【請求項６】
前記ヒートシンクがセラミック材料を有する、請求項５に記載のドングル。
【請求項７】
前記ヒートシンクが金属又は金属合金を含む、請求項５に記載のドングル。
【請求項８】
前記トランシーバが、無線周波数信号を送信し、受信するように構成される、請求項２に記載のドングル。
【請求項９】
ドングルが挿入されるキャビティを有するカルーセルと、
前記キャビティに配置されるスイッチであって、前記キャビティへの前記ドングルの挿入に応じて押されるスイッチと、
複数の充電サイトに接続されるバッテリ充電器であって、各充電サイトは、１のバッテリを受け取り、充電するように構成され、前記ドングルに配置されたバッテリが取り外され、前記充電サイトのうちの１つに配置されると、前記カルーセルは前進し、前記充電サイトに配置されているバッテリが、前記ドングルに挿入される、バッテリ充電器と、
を有する装置。
【請求項１０】
前記カルーセルが第１のカルーセルであり、前記装置が更に、
複数のヒートシンクサイトを有する第２のカルーセルであって、各ヒートシンクサイトが、１のヒートシンクを受け取るように構成され、前記キャビティへの前記ドングルの挿入に応じて、前記ドングルに配置されているヒートシンクが取り外され、前記複数のヒートシンクサイトのうちの１つに配置され、前記カルーセルが前進して、前記複数のヒートシンクのうちの１つが前記ドングルに挿入される、第２のカルーセル、
を有する、請求項９に記載の装置。
【請求項１１】
充電サイトごとの現在の充電レベルを受け取り、前記カルーセルの中でどのバッテリが最大の充電を有するかを決定するために、前記受け取られた現在の充電レベルを比較するように構成されるコントローラを更に有し、前記カルーセルは、前記コントローラからのコマンドに基づいて前記カルーセルを前進させるように構成されるアクチュエータに接続される、請求項１０に記載の装置。
【請求項１２】
前記複数のヒートシンクのうちの少なくとも１つが相変化材料を含む、請求項１０に記載の装置。
【請求項１３】
前記複数のヒートシンクのうちの少なくとも１つが金属、金属合金又はセラミック材料を含む、請求項１０に記載の装置。
【請求項１４】
前記コントローラが、前記ドングルからデータを受信して、メモリに前記データを記憶する、コンピュータに前記データを送信する、又はそれら両方を行う、請求項１１に記載の装置。
【請求項１５】
装置を制御するためにプロセッサにより実行される機械可読命令が記憶された非一時的コンピュータ可読記憶媒体であって、前記機械可読命令は、ドングル内のドングルバッテリを交換する方法を実行するように構成され、前記方法が、
前記装置のカルーセルの個々の充電サイトに配置される複数のバッテリの各々について、現在の充電レベルを受け取るステップと、
前記複数のバッテリのうちどれが最大の充電レベルを有するか決定するステップと、
前記ドングルバッテリの充電レベルを受け取るステップと、
前記ドングルバッテリの前記充電レベルを、前記最大の充電レベルと比較するステップと、
前記最大の充電レベルが前記ドングルバッテリの前記充電レベルより大きい場合、前記ドングルバッテリを、前記最大の充電レベルを有するバッテリと置き換えるために、前記カルーセルを前進させるステップと、
を有する、非一時的コンピュータ可読記憶媒体。
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
冷凍食品をベースとする飲料を調製するための方法（５０）であって、
第１の粒状材料の形態でおよび深冷凍条件下において複数の容器（１１１）内に冷凍食品を貯蔵するステップ（５１）と、
破砕デバイスへと前記第１の粒状材料のうちの少なくとも１つの一部分を自動的に供給し、供給された前記一部分を第２の粒状材料へと破砕するステップ（５２）と、
カップ（９）内に前記第２の粒状材料を配置するステップ（５３）と、
前記カップ内に第１の液体を加えるステップ（５４）であって、前記第１の液体は少なくとも５０℃の温度を有する、ステップと、
前記カップを閉じるステップ（５５）および前記カップ内の前記第１の液体と共に前記第２の粒状材料を可飲の集塊へと粉砕するステップ（５６）と、
前記カップを開けるステップ（５８）および前記カップを提供するステップ（５９）と、
を含む、方法。
【請求項２】
前記カップ内にロッド形状の粉砕デバイス（１５）を導入するステップを含み、前記粉砕デバイスは、前記カップ内の前記第２の粒状材料を均質な集塊へと粉砕する、請求項１に記載の方法。
【請求項３】
前記第２の粒状材料を粉砕する前記ステップ（５６）の後に、前記粉砕デバイス（１５）を洗浄するステップ（６０）を含む、請求項２に記載の方法。
【請求項４】
前記カップ内において粉砕する前記ステップに対応する第１の位置から、洗浄する前記ステップに対応する第２の位置へと前記粉砕デバイス（１５）を移動するステップを含み、前記第１の位置および前記第２の位置は、ある距離をおいて相互に垂直方向に整列される、請求項３に記載の方法。
【請求項５】
前記第２の粒状材料は、５ｍｍ以下でありかつ対応する前記第１の粒状材料の第１の平均粒径よりも小さい第２の平均粒径を有し、前記第１の平均粒径は、１５ｍｍ以上である、請求項１から４のいずれか一項に記載の方法。
【請求項６】
前記第２の粒状材料を粉砕する前記ステップ（５６）の後に、および前記カップを開ける前記ステップ（５８）の前に、前記カップ内に第２の液体を加えるステップ（５７）を含む、請求項１から５のいずれか一項に記載の方法。
【請求項７】
前記複数の容器のうちのいくつかからの前記第１の粒状材料のうちのいくつかのそれぞれの一部分が、対応する第２の粒状材料へと個別に破砕され、前記カップへと供給される、請求項１から６のいずれか一項に記載の方法。
【請求項８】
冷凍食品をベースとする飲料を調製するためのアセンブリ（１０）であって、
深冷凍条件下において第１の粒状材料の形態で前記冷凍食品を貯蔵するためにそれぞれ構成された複数の容器（１１１）と、
前記第１の粒状材料を第２の粒状材料へと破砕するように構成されたデバイス（１２）であって、前記複数の容器に連結される、デバイス（１２）と、
カップ（９）用のホルダ（１４）と、
前記カップへの液体供給部（１６）であって、前記液体供給部を通過する液体を少なくとも５０℃の温度へと加熱するように構成された液体ヒータ（１６４）を備える、液体供給部（１６）と、
前記カップ用の閉鎖部（１５４）と、
前記カップ（９）内で前記第２の粒状材料を均質な集塊へと粉砕するように構成された粉砕デバイス（１５）と、
を備え、
前記アセンブリは、前記ホルダに対して前記閉鎖部および前記粉砕デバイスを移動するように構成されたガイド（１５６）を備え、
前記アセンブリは、前記カップ内に第１の量の液体を供給するために、前記粉砕デバイスを駆動する前に前記液体供給部を動作させるように構成された、前記粉砕デバイスおよび前記液体供給部に結合されたコントローラ（１８）を備える、アセンブリ（１０）。
【請求項９】
前記粉砕デバイス（１５）は、ロッド形状であり、動作状態において前記ホルダ（１４）と垂直方向整列状態に配置され、前記ガイド（１５６）は、垂直方向に配置される線形ガイドである、請求項８に記載のアセンブリ。
【請求項１０】
前記粉砕デバイスを洗浄するように構成されたデバイス（１６５）を備え、前記粉砕デバイスを洗浄するための前記デバイスは、前記粉砕デバイス（１５）と垂直方向において整列され、前記ホルダ（１４）は、第１の垂直方向位置に配置され、洗浄するための前記デバイス（１６５）は、前記第１の垂直方向位置とは異なる第２の垂直方向位置に配置され、前記粉砕デバイス（１５）は、前記第１の垂直方向位置と前記第２の垂直方向位置との間で移動するために前記線形ガイド（１５６）に結合される、請求項９に記載のアセンブリ。
【請求項１１】
前記ホルダ（１４）は、前記ホルダのエッジ（１４２）により囲まれた開口（１４１）を備え、前記カップ（９）は、突出リム（９１）を有する種類のものであり、前記ホルダは、前記カップが前記ホルダの前記エッジにより支持されるように前記開口内に前記カップを受けるように構成され、
前記閉鎖部（１５４）は、前記閉鎖部と前記ホルダとの間に前記突出リムをクランプすることにより前記カップを封止するように構成され、
前記液体供給部（１６）は、前記閉鎖部を貫通する貫通穴（１５７）に連結されたノズル（１６２）を備え、
前記制御ユニット（１８）は、前記カップ内に第２の量の液体を加えるために、前記粉砕デバイスを駆動した後に前記液体供給部を動作させるようにプログラムされる、請求項８から１０のいずれか一項に記載のアセンブリ。
【請求項１２】
前記閉鎖部（１５４）は、前記カップ（９）内に流体を吸引させ得る一方向弁（１５８）を備える、請求項８から１１のいずれか一項に記載のアセンブリ。
【請求項１３】
前記複数の容器の個々に結合された複数の破砕デバイス（１２）を備える、請求項８から１２のいずれか一項に記載のアセンブリ。
【請求項１４】
請求項８から１３のいずれか一項に記載のアセンブリ（１０）を備える自動ディスペンサ。
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
農業ユニットであって、
養殖で水生生物を育成し、水耕栽培で植物を栽培するための組み合わされた水生環境を提供するように適合されたタンクシステム（１１０）を備え、これにより、前記水生生物の排出物が前記植物のための栄養分を産生するために前記水生環境中へ直接放出され、前記農業ユニットはさらに、
電気化学装置（１３０）を備え、
前記電気化学装置（１３０）は、電気エネルギ源（１２０）によって提供される電気エネルギを消費しながら水素および酸素を産生するための電解モードで動作可能であり、前記電気化学装置（１３０）はさらに、産生された前記水素を酸化することによって電気エネルギおよび熱を産生するための燃料電池モードで動作可能であり、
前記電気化学装置（１３０）は、産生された前記熱および産生された前記酸素の少なくとも一部を前記水生環境に移送するように前記タンクシステム（１１０）に動作可能に連結されている、農業ユニット。
【請求項２】
前記電気エネルギ源として前記電気化学装置（１３０）に連結される再生可能エネルギ変換手段（１２０）をさらに備える、請求項１に記載の農業ユニット。
【請求項３】
前記再生可能エネルギ変換手段（１２０）は、光電池を備える、請求項２に記載の農業ユニット。
【請求項４】
前記再生可能エネルギ変換手段（１２０）は、風によって駆動されるタービンを備える、請求項２に記載の農業ユニット。
【請求項５】
前記再生可能エネルギ変換手段（１２０）は、潮力および／または波エネルギによって駆動されるタービンを備える、請求項２に記載の農業ユニット。
【請求項６】
前記水生生物は、テラピア、コイ、ニシキゴイ、マス、ナマズ、バラマンディ、ジェイドパーチ、およびブルーギルなどの淡水魚を含む、水生生物の産生のための、請求項１〜５のいずれか１項に記載の農業ユニットの使用。
【請求項７】
前記水生生物は、クレイフィッシュおよび淡水エビなどの甲殻類を含む、水生生物の産生のための、請求項１〜５のいずれか１項に記載の農業ユニットの使用。
【請求項８】
レッドリーフ、ルッコラ、ラディッキオ、レタス、チンゲンサイ、エンダイブ、クレソン、チコリ、スイカ、カンタロープ、ハニデューメロン、キュウリ、トマト、オクラ、中国エンドウ、シュガーピース、ズッキーニ、金糸ウリ、バジル、オレガノ、パセリ、チャービル、コリアンダ、グリーンオニオン、およびタイムから選択される植物の産生のための、請求項１〜５のいずれか１項に記載の農業ユニットの使用。
【請求項９】
前記水生生物の量と前記植物の量との間の比率が所定の供給速度率を維持するように管理される、請求項１〜５のいずれか１項に記載の農業ユニットの使用。
【手続補正２】
【補正対象書類名】明細書
【補正対象項目名】００２２
【補正方法】変更
【補正の内容】
【００２２】
農業ユニットは、養殖で水生生物を育成し、水耕栽培で植物を栽培するための水生環境を提供するように適合されたタンクシステム１１０を備える。一般性を失うことなく、タンクシステム１１０は、魚タンク（左側）および「深水栽培」（ＤＷＣ（deep water culture））タイプの植物タンク（右側）の、２つの別個のタンクを備えるものとして示される。読者は、代替的に、本発明に係る農業ユニットは、単一のタンクを有して、または異なる機能を有し得る複数のタンクを有して動作することが可能であることを理解するであろう。代替的なタンクシステム配置（図示せず）は、魚を育成し魚に飼料を与えるための１つ以上の飼育タンク、水が集められそれが再分配されるシステムの最下点に設けられる排水タンク、養魚用の小魚タンク、硝化細菌が成長しアンモニアを硝酸塩に変換することができるバイオフィルタ、および植物が水から過剰な栄養分を吸収しながら生長する水耕桶を備え得る。
【手続補正３】
【補正対象書類名】明細書
【補正対象項目名】００２４
【補正方法】変更
【補正の内容】
【００２４】
ユニットはさらに、電気エネルギ源１２０によって提供される電気エネルギを消費しながら水素および酸素を産生するための電解モードで動作可能であり、産生された前記水素を酸化することによって電気エネルギおよび熱を産生するための燃料電池モードで動作可能である、電気化学装置１３０を備える。水素タンクは、その後の使用のために産生された水素ガスを蓄えるために、電気化学装置１３０に連結され得る。この電気化学装置１３０は、産生された熱および産生された酸素の少なくとも一部を水生環境に移送するように、タンクシステム１１０に動作可能に連結される。
【手続補正４】
【補正対象書類名】明細書
【補正対象項目名】００３６
【補正方法】変更
【補正の内容】
【００３６】
電気化学ユニットは、そのエネルギ産生プロセスの一部として温水を産生する。この温水は、循環し、魚タンクを通るようにされてもよい。回路を配管する温水は、温室に入り、適切に寸法決めされたファンを備える放熱器の形態を取り得る熱交換器まで流れる。このように、温水からの熱は、大気に移され、温室にわたって噴出される。冷却の目的のために、暖かい空気が温室から吹き出され、熱をより冷たい周囲へ分散させることを可能にする地下の熱交換器を通る。
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
壁および管腔を有する胃内バルーン、及び
前記胃内バルーンの前記管腔内に含有され、メチレンブルーによって汚染の可能性を低減させることにより製造プロセスを容易にするように適合された水溶性カプセル化固体形態の前記メチレンブルー、
を含む、胃内容積占有デバイスであって、
前記メチレンブルーが、胃液に曝露されるとロイコメチレンブルーに還元されることにより前記胃内容積占有デバイスの故障を示すように構成されていて、前記胃内容積占有デバイスの故障の指標として変色した尿をもたらす、胃内容積占有デバイス。
【請求項２】
前記故障が、前記胃内バルーンの自発的収縮である、請求項１に記載の胃内容積占有デバイス。
【請求項３】
前記故障が、前記胃内バルーン内に含有される充填流体の漏出である、請求項１に記載の胃内容積占有デバイス。
【請求項４】
前記充填流体がＳＦ６または窒素とＳＦ６との組合せである、請求項３に記載の胃内容積占有デバイス。
【請求項５】
前記メチレンブルーが純粋な状態にある、請求項１に記載の胃内容積占有デバイス。
【請求項６】
前記メチレンブルーが、医薬品として許容される賦形剤と組み合わされている、請求項１に記載の胃内容積占有デバイス。
【請求項７】
前記胃内容積占有デバイスが、メチレンブルーを１０ｍｇ〜６０ｍｇ含む、請求項１に記載の胃内容積占有デバイス。
【請求項８】
前記メチレンブルーとの組合せで赤色放出色素をさらに含み、前記組合せが、前記胃内バルーンの前記管腔内に含有され、前記組合せが、胃液に曝露されると前記胃内容積占有デバイスの故障を示すように構成されていて、前記胃内容積占有デバイスの故障の指標として紫色の尿をもたらす、請求項１の何れか１項に記載の胃内容積占有デバイス。
【請求項９】
前記赤色放出色素がベタラインである、請求項８に記載の胃内容積占有デバイス。
【請求項１０】
胃内容積占有デバイスの故障を検出するための方法であって、前記方法が、
患者の胃に、胃内バルーンと、メチレンブルーによって汚染の可能性を低減させることにより製造プロセスを容易にするように適合された水溶性カプセル化固体形態の前記メチレンブルーとを含む胃内容積占有デバイスを導入すること、ここで、前記胃内バルーンが壁および管腔を有するものであり、前記メチレンブルーが前記胃内バルーンの前記管腔内に含有されたものであり、
初期充填流体を、前記胃内バルーンの前記管腔内に導入して、前記胃内バルーンを膨張させること、及び
前記膨張した胃内バルーンを、前記胃内バルーンの故障が生ずるまでインビボ胃内環境に曝露すること、それにより前記メチレンブルーが胃液に曝露されて、ロイコメチレンブルーに還元され、前記胃内容積占有デバイスの故障の指標として変色した尿をもたらす、
を含む、方法。
【請求項１１】
前記故障が、前記胃内バルーンの自発的収縮、または前記胃内バルーン内に含有される前記初期充填流体の漏出である、請求項１０に記載の方法。
【請求項１２】
前記初期充填流体がＳＦ６または窒素とＳＦ６との組合せである、請求項１０に記載の方法。
【請求項１３】
前記メチレンブルーが純粋な状態にある、請求項１０に記載の方法。
【請求項１４】
前記メチレンブルーが、医薬品として許容される賦形剤と組み合わされている、請求項１０に記載の方法。
【請求項１５】
前記メチレンブルーが、赤色放出色素との組合せで存在し、前記組合せは、胃液に曝露されると前記胃内容積占有デバイスの故障を示すように構成されていて、前記胃内容積占有デバイスの故障の指標として紫色の尿をもたらす、請求項１０に記載の方法。
【請求項１６】
前記胃内容積占有デバイスが、メチレンブルーを１０ｍｇ〜６０ｍｇ含む、請求項１０に記載の方法。
【請求項１７】
前記メチレンブルーの固体形態が、事前に製造されたゼラチンカプセルに包封されている、請求項１に記載の胃内容積占有デバイス。
【請求項１８】
前記水溶性カプセル化固体形態が、コンフォーマルコーティングおよびカプセル化コーティングからなる群から選択されるコーティングに包封されたペレットの形態である、請求項１に記載の胃内容積占有デバイス。
【請求項１９】
前記コンフォーマルコーティングが、溶解可能なポリマー、炭水化物、ゼラチン、および融解可能な材料からなる群から選択される、請求項１８に記載の胃内容積占有デバイス。
【請求項２０】
前記水溶性カプセル化固体形態が、前記胃内バルーンの弁付近に配置され、前記胃内バルーンが、飲み込む前に外側カプセルに配置される前に、前記胃内バルーンのサイズを最小限に抑えるように折り畳まれる、請求項１に記載の胃内容積占有デバイス。
【請求項２１】
前記水溶性カプセル化固体形態が、前記胃内バルーン内で自由に浮動する、請求項１に記載の胃内容積占有デバイス。
【請求項２２】
前記水溶性カプセル化固体形態が、接着剤もしくは機械的構造によって前記胃内バルーンの内面もしくは前記胃内バルーンのその他の内側構造に取着られる、請求項１に記載の胃内容積占有デバイス。
【請求項２３】
前記水溶性カプセル化固体形態が、前記メチレンブルーを含有する水溶性カプセルであり、前記胃内バルーンが、前記胃内バルーンの埋込みおよび膨張の後、カテーテルからの排出中に水が前記胃内バルーン内に注入されるために適合され、このとき前記水は、前記水溶性カプセルを溶解しその中の前記メチレンブルーを可溶化し、それによって、前記胃内バルーン内に胃液を進入させるバルーンの破裂または収縮の際に、前記メチレンブルーを放出できるようにする、請求項１に記載の胃内容積占有デバイス。
【請求項２４】
前記メチレンブルーが溶媒と混合されて、前記胃内バルーンの内面に点在または印刷されて１つ以上のドットを形成するペーストまたは溶液を形成し、前記１つ以上のドットは乾燥される、請求項１に記載の胃内容積占有デバイス。
【請求項２５】
乾燥した前記１つ以上のドットが、前記１つ以上のドット上に付着された１つ以上の溶解可能なまたは水溶性のコーティングでコーティングされる、請求項２４に記載の胃内容積占有デバイス。
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
血管内に位置決めされる血管内デバイスと前記血管内デバイスと通信している処理システムとを備える血管内の脈波伝播速度（ＰＷＶ）を決定する装置であって、
前記血管内デバイスは、
近位側部分及び遠位側部分を有する可撓性の細長い部材と、
前記可撓性の細長い部材の前記遠位側部分に結合され、第１の位置で前記血管内の測定値をモニタリングする第１の撮像素子と、
前記可撓性の細長い部材の長さに沿って第１の距離だけ前記第１の撮像素子から離間した位置で、前記可撓性の細長い部材の前記遠位側部分に結合され、前記第１の位置から離間した第２の位置で前記血管内の前記測定値をモニタリングする第２の撮像素子とを含み、
前記処理システムは、
前記第１の撮像素子による前記血管内の前記第１の位置における前記血管の前記測定値の前記モニタリングと関連付けられた第１のデータを受信し、
前記第２の撮像素子による前記血管内の前記第２の位置における前記血管の前記測定値の前記モニタリングと関連付けられた第２のデータを受信し、
受信した前記第１及び第２のデータに基づいて、前記血管内の流体の脈波伝播速度を決定し、
前記血管が腎動脈であり、前記処理システムが更に、前記脈波伝播速度に基づいて腎除神経療法の推奨を決定するか、又は、前記脈波伝播速度を使用して、腎除神経術の予測される治療効果に基づいて患者を分類する、装置。
【請求項２】
前記第１及び第２の撮像素子のサンプリング周波数が、１０ｋＨｚ以上、より好ましくは２０ｋＨｚ以上、最も好ましくは４０ｋＨｚ以上である、請求項１に記載の装置。
【請求項３】
前記測定値が、前記血管の直径、前記血管の前記直径の変化、前記血管の壁までの距離、又は前記血管の壁までの距離の変化のうち少なくとも１つを含む、請求項１に記載の装置。
【請求項４】
前記脈波伝播速度が、
【数５】
2019516476.tif 000001
として決定され、ここで、Ｄ１は第１の距離であり、Δｔは脈波が前記第１の位置に達するのと前記脈波が前記第２の位置に達するのとの間の時間的な差である、請求項１に記載の装置。
【請求項５】
前記脈波が前記第１及び第２の位置に達する間の前記時間的な差を決定するのに、前記第１及び第２のデータの特定可能な特徴が利用される、請求項４に記載の装置。
【請求項６】
前記特定可能な特徴が、最大直径、最小直径、又は傾きのうち少なくとも１つである、請求項５に記載の装置。
【請求項７】
前記脈波伝播速度が、
【数６】
2019516476.tif 000002
として決定され、ここで、ｄＱは時間間隔の間のフローの変化であり、ｄＡは前記時間間隔の間の前記血管の断面積の変化である、請求項１に記載の装置。
【請求項８】
血管内の脈波伝播速度（ＰＷＶ）を決定する方法であって、前記方法は、
第１の撮像素子によって血管の第１の位置における前記血管の測定値をモニタリングするステップと、
第２の撮像素子によって、前記血管の長さに沿って第１の距離だけ前記第１の位置から離間した前記血管の第２の位置における、前記血管の測定値をモニタリングするステップと、
前記第１の撮像素子による前記第１の位置における前記血管の前記測定値の前記モニタリングと関連付けられた第１のデータを受信するステップと、
前記第２の撮像素子による前記第２の位置における前記血管の前記測定値の前記モニタリングと関連付けられた第２のデータを受信するステップと、
前記受信した第１及び第２のデータに基づいて、前記血管内の流体の脈波伝播速度を決定するステップとを含み、
前記血管が腎動脈であり、前記方法は、前記脈波伝播速度に基づいて腎除神経療法の推奨を決定するステップ、又は、前記脈波伝播速度を使用して、腎除神経術の予測される治療効果に基づいて患者を分類するステップを更に含む、方法。
【請求項９】
前記第１及び第２の撮像素子のサンプリング周波数が、１０ｋＨｚ以上、より好ましくは２０ｋＨｚ以上、最も好ましくは４０ｋＨｚ以上である、請求項８に記載の方法。
【請求項１０】
前記測定値が、前記血管の直径、前記血管の前記直径の変化、前記血管の壁までの距離、又は前記血管の壁までの距離の変化のうち少なくとも１つを含む、請求項８に記載の方法。
【請求項１１】
前記脈波伝播速度が、
【数７】
2019516476.tif 000003
として決定され、ここで、Ｄ１は第１の距離であり、Δｔが、脈波が前記第１の位置に達するのと前記脈波が前記第２の位置に達するのとの間の時間的な差である、請求項８に記載の方法。
【請求項１２】
前記脈波が前記第１及び第２の位置に達する間の前記時間的な差を決定するのに、前記第１及び第２のデータの特定可能な特徴が利用される、請求項１１に記載の方法。
【請求項１３】
前記特定可能な特徴が、最大直径、最小直径、又は傾きのうち少なくとも１つである、請求項１２に記載の方法。
【請求項１４】
前記脈波伝播速度が、
【数８】
2019516476.tif 000004
として決定され、ここで、ｄＱは時間間隔の間のフローの変化であり、ｄＡは前記時間間隔の間の前記血管の断面積の変化である、請求項８に記載の方法。
【請求項１５】
前記第１の位置における前記血管の前記測定値の前記モニタリング、及び前記第２の位置における前記血管の前記測定値の前記モニタリングが、血管内イメージングを使用して行われる、請求項８に記載の方法。
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
呼吸療法装置であって、
患者のための空気フローを発生させるための送風機であって、モータに関連付けられ、前記モータは、制御信号によって駆動されるように構成される、送風機と、
少なくとも流量を測定するように構成された１つ以上のセンサであって、モータ速度または圧力を測定するようにさらに構成される１つ以上のセンサと、
制御システムと
を含み、前記制御システムは、
前記患者の呼吸サイクルを検出することであって、
前記１つ以上のセンサからの１つ以上のフロー測定値を含む第１のセンサ入力を受信すること、
少なくとも１つの圧力センサからの１つ以上の圧力測定値または前記モータに関連付けられた１つ以上のモータ速度測定値を含む第２のセンサ入力を受信すること、および
少なくとも前記受信されたフロー測定値を用いて呼吸サイクル波形を発生させることであって、前記呼吸サイクル波形は、前記患者による複数の交互の吸気および呼気期間を含む、発生させること、
による、検出することと、
前記制御信号を前記呼吸サイクルと同期させることであって、
前記呼吸サイクル波形の位相を識別すること、および
前記制御信号と前記呼吸サイクル波形との間の規定の位相差を達成するために前記制御信号の位相を反復的に更新することであって、それにより、前記制御信号は、前記患者の吸気および呼気に基づいて前記モータの速度を調整するように構成される、更新すること
による、同期させることと
を行うように構成される、呼吸療法装置。
【請求項２】
前記制御システムは、前記モータによって受信される前記制御信号と、その結果として生じた、感知された空気フローとの間のシステム遅延に基づいて前記制御信号を位相変位させるようにさらに構成される、請求項１に記載の呼吸療法装置。
【請求項３】
前記制御システムは、前記制御信号が前記呼吸サイクル波形を設定時間量だけ先取りするように前記制御信号を位相変位させるようにさらに構成される、請求項１または２に記載の呼吸療法装置。
【請求項４】
前記１つ以上のセンサは、超音波センサ組立体を含む、請求項１から３のいずれか一項に記載の呼吸療法装置。
【請求項５】
前記１つ以上のセンサは、加熱温度感知要素をさらに含む、請求項１から４のいずれか一項に記載の呼吸療法装置。
【請求項６】
前記制御信号は、前記呼吸サイクル波形に位相ロックされる、請求項１から５のいずれか一項に記載の呼吸療法装置。
【請求項７】
前記呼吸サイクル波形は、患者の呼吸数を算出するために用いられる、請求項１から６のいずれか一項に記載の呼吸療法装置。
【請求項８】
前記制御信号の大きさは、前記呼吸サイクル波形の振幅、正のフィードバックパラメータおよび負のフィードバックパラメータに少なくとも部分的に基づいて決定される、請求項１から７のいずれか一項に記載の呼吸療法装置。
【請求項９】
前記第２のセンサ入力は、前記モータに関連付けられた前記１つ以上のモータ速度測定値である、請求項１から８のいずれか一項に記載の呼吸療法装置。
【請求項１０】
前記呼吸サイクル波形は、前記受信されたフローおよびモータ速度測定値を用いて発生される、請求項９に記載の呼吸療法装置。
【請求項１１】
前記呼吸サイクル波形は、算出された患者のフローに少なくとも部分的に基づいて発生され、前記患者のフローは、前記受信されたフローおよびモータ速度測定値を用いて算出されたシステム漏出に基づく、請求項９または１０に記載の呼吸療法装置。
【請求項１２】
前記モータ速度測定値は、１つ以上の送風機モータパラメータに少なくとも部分的に基づいて決定される、請求項９から１１のいずれか一項に記載の呼吸療法装置。
【請求項１３】
前記モータは、ブラシレスＤＣモータを含む、請求項１から８のいずれか一項に記載の呼吸療法装置。
【請求項１４】
前記制御システムは、第３のセンサ入力を受信することによって前記呼吸サイクルを検出するように構成され、前記第３のセンサ入力は、前記少なくとも１つの圧力センサからの前記１つ以上の圧力測定値を含む、請求項９から１３のいずれか一項に記載の呼吸療法装置。
【請求項１５】
前記第２のセンサ入力は、前記少なくとも１つの圧力センサからの前記１つ以上の圧力測定値である、請求項１から８および１３のいずれか一項に記載の呼吸療法装置。
【請求項１６】
呼吸ハイフロー療法装置である、請求項１から１４のいずれか一項に記載の呼吸療法装置。
【請求項１７】
非密閉呼吸システムにおける使用のために構成される、請求項１から１４および１６のいずれか一項に記載の呼吸療法装置。
【請求項１８】
密閉呼吸システムにおける使用のために構成される、請求項１から１５のいずれか一項に記載の呼吸療法装置。
【請求項１９】
前記少なくとも１つの圧力センサからの前記１つ以上の圧力測定値に基づいて、前記密閉呼吸システムの所定の圧力を達成するようにモータ速度を調整するように構成される、請求項１８に記載の呼吸療法装置。
【請求項２０】
非侵襲的換気マスクと結合されるように構成される、請求項１９に記載の呼吸療法装置。
【請求項２１】
前記圧力センサは、前記非侵襲的換気マスクもしくは前記非侵襲的換気マスクを患者呼吸導管に接続するマニホールド内、または前記患者呼吸導管内、または前記呼吸療法装置のハウジング内に配置される、請求項２０に記載の呼吸療法装置。
【請求項２２】
前記センサの少なくとも１つからの、受信された第１のセンサ入力は、１つ以上の流量測定値を含む
請求項１から２１のいずれか一項に記載の呼吸療法装置。
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
本体部と、
前記本体部から延びているブラシヘッドであって、前記ブラシヘッドの少なくとも一部が前記本体部に対して移動するように構成される前記ブラシヘッドと、
コントローラと、
前記ブラシヘッド及び前記本体部に対して配置されるとともに前記コントローラと通信可能である光学センサであって、前記光学センサは、前記本体部に対する前記ブラシヘッドの偏位又は回転に起因する光学センサデータを取得するように構成される前記光学センサと、
を有し、
前記コントローラは、前記光学センサデータを受信するとともに、前記本体部に対する前記ブラシヘッドの前記偏位又は回転を決定するように構成され、
前記光学センサが、前記本体部上に配置される第１の部分と、前記ブラシヘッド上に配置されるとともに、リフレクタを有する第２の部分と、を有し、
前記第１の部分が、光源と、前記光源の一方の側に配置された第１の光センサと、前記光源の第２の側に配置された第２の光センサと、を有するか、又は
前記第１の部分が、光センサと、前記光センサの一方の側に配置された第１の光源と、前記光センサの第２の側に配置された第２の光源と、を有する、
口腔清掃装置。
【請求項２】
光源によって放出される光のためのパルス又は変調パターンを生成するように構成されたパルスジェネレータを更に有する、請求項１記載の口腔清掃装置。
【請求項３】
口腔清掃装置のブラシヘッド部材の位置を特徴付けるための方法であって、前記方法は、
光学センサ、本体部、ブラシヘッド、及び、コントローラを有する口腔清掃装置を供給するステップであって、前記光学センサが、前記本体部上に配置される第１の部分と、前記ブラシヘッド上に配置されるとともに、リフレクタを有する第２の部分と、を有し、前記第１の部分が、光源と、前記光源の一方の側に配置された第１の光センサと、前記光源の第２の側に配置された第２の光センサと、を有するか、又は、前記第１の部分が、光センサと、前記光センサの一方の側に配置された第１の光源と、前記光センサの第２の側に配置された第２の光源と、を有するステップと、
前記光学センサによって、前記ブラシヘッド部材の偏位及び／又は回転についての情報を有するセンサ情報を決定するステップと、
前記コントローラによって、前記ブラシヘッド部材の偏位及び／又は回転についての前記情報に基づいてブラシ本体に対する前記ブラシヘッド部材の位置を計算するステップと、
を有する、方法。
【請求項４】
前記ブラシ本体に対する前記ブラシヘッドの計算された位置から、前記ブラシヘッドに付与される力を決定するステップを更に有する、請求項３記載の方法。
【請求項５】
前記ブラシ本体に対する前記ブラシヘッドの計算された位置から、前記ブラシヘッドの角度を決定するステップを更に有する、請求項３記載の方法。
【請求項６】
前記ブラシヘッドの計算された複数の位置を用いて、前記ブラッシングセッションの有効性測定を評価するステップを更に有する、請求項３記載の方法。
【請求項７】
前記口腔清掃装置によるブラシヘッド運動の振幅を制御するために、前記付与される、又は、前記ブラシヘッドによる、計算された力を利用するステップを更に有する、請求項４記載の方法。
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
第１の端部と、第２の端部と、その間の長さ部分とを有し、前記第１の端部に取付け特徴部を有するフックアセンブリと、
カプセルアセンブリと
を含む取出し装置であって、前記カプセルアセンブリは、直列に連結され、かつ中心長手軸に沿った前記カプセルアセンブリの長さに沿って内周穴を画定するカプセル、カプセルシャフトおよびハンドルを含み、前記カプセルは、前記カプセルの内部への開口を画定する第１の端部と、前記フックアセンブリをスライド可能に受け入れるように構成された前記カプセルアセンブリの内周穴とを有し、
前記ハンドルは、中央部分と、前記ハンドルの第１の端部を画定し、かつ前記カプセルシャフトに取り付けられた第１の端部を有する第１の伸長部分と、前記ハンドルの第２の端部を画定する第２の端部を有する第２の伸長部分とを有し、前記第２の伸長部分は、前記第２の端部にフックアセンブリロックを有し、前記ハンドルは、前記第１の端部が前記中心長手軸に沿って前記第２の端部から第１の距離にある格納構成と、前記第１の端部が前記中心長手軸に沿って前記第２の端部から第２の距離にある伸長構成とを有し、
前記フックアセンブリロックは、前記フックアセンブリを前記第２の伸長部分にロックするように構成され、前記第２の伸長部分は、前記中心長手軸に沿って前記フックアセンブリを前記カプセルシャフトに対して引くように構成され、および前記第１の伸長部分は、前記中心長手軸に沿って前記カプセルシャフトを前記フックアセンブリに対して押すように構成される、取出し装置。
【請求項２】
前記取付け特徴部は、フックである、請求項１に記載の取出し装置。
【請求項３】
前記カプセルアセンブリは、前記中心長手軸に沿って非圧縮性である、請求項１に記載の取出し装置。
【請求項４】
前記カプセルの第２の端部は、前記カプセルシャフトの第１の端部に取り付けられ、前記カプセルシャフトの第２の端部は、前記第１の伸長部分の第１の端部に取り付けられる、請求項１に記載の取出し装置。
【請求項５】
前記カプセルは、密着コイルを含む、請求項１に記載の取出し装置。
【請求項６】
前記カプセルは、前記中心長手軸に対して角度をなして撓むように可撓性である、請求項１に記載の取出し装置。
【請求項７】
前記カプセルは、前記カプセルの内部に医療装置を受け入れるように構成される、請求項１に記載の取出し装置。
【請求項８】
前記ハンドルは、前記第１の伸長部分を前記格納構成と前記伸長構成との間で移行させるように構成された第１の制御ノブと、前記第２の伸長部分を前記格納構成と前記伸長構成との間で移行させるように構成された第２の制御ノブとをさらに含む、請求項１に記載の取出し装置。
【請求項９】
前記第１の制御ノブおよび前記第２の制御ノブは、前記フックアセンブリと前記カプセルシャフトとの間で回転動作を長手方向の直線動作に変換するように構成される、請求項８に記載の取出し装置。
【請求項１０】
前記ハンドルは、医療装置が前記取付け特徴部に取り付けられた状態で前記取付け特徴部を前記カプセルの第１の端部に引き込むように構成される、請求項１に記載の取出し装置。
【請求項１１】
医療装置を拡張構成からつぶれ構成に移行させ、かつ、つぶれ構成において医療装置を前記カプセルに引き込むように構成される、請求項１に記載の取出し装置。
【請求項１２】
前記カプセルの第１の端部に先端具をさらに含み、前記先端具は、前記カプセルの内部への開口を取り外し可能に覆うように構成される、請求項１に記載の取出し装置。
【請求項１３】
前記フックアセンブリと前記カプセルシャフトとの間に前記中心長手軸に沿って約２２．２ニュートン〜約１５５．７ニュートンを提供するように構成される、請求項１に記載の取出し装置。
【請求項１４】
患者の体内から物体を取り出すための取出し装置であって、
第１の端部と、第２の端部と、前記第１の端部と前記第２の端部との間に延び、かつその間に管腔を画定する壁とを有する鞘と、
第１の端部に取付け特徴部を有し、前記鞘の管腔内にスライド可能に受け入れられるように構成されたケーブルであって、前記ケーブルの第２の端部は、前記鞘に対する前記ケーブルの長手方向の動作を阻止するために前記鞘の第２の端部にロックされるように構成される、ケーブルとを含むフックアセンブリと、
カプセルアセンブリと
を含み、前記カプセルアセンブリは、直列に連結され、かつ前記カプセルアセンブリの長さに沿って内周穴を画定するカプセル、カプセルシャフトおよびハンドルを含み、前記カプセルは、前記カプセルの内部への開口を画定する第１の端部を有し、
前記ハンドルは、第１の端部と、第２の端部と、前記フックアセンブリが前記ハンドルの第２の端部に対して移動することを阻止されるように、前記フックアセンブリを前記ハンドルの第２の端部にロックするように構成されたフックアセンブリロックとを有し、前記ハンドルは、前記第１の端部が前記第２の端部から第１の距離にある格納構成と、前記第１の端部が前記第２の端部から第２の距離にある伸長構成とを有し、
前記カプセルアセンブリの内周穴は、前記フックアセンブリを中心長手軸に沿ってスライド可能に受け入れるように構成され、前記格納構成と前記伸長構成との間で前記ハンドルを移行させることで、前記フックアセンブリを前記カプセルシャフトに対して前記中心長手軸に沿ってスライドさせる、取出し装置。
【請求項１５】
前記格納構成と前記伸長構成との間で前記ハンドルを移行させることで、前記取付け特徴部を前記カプセルに引き込む、請求項１４に記載の取出し装置。
【請求項１６】
前記カプセルは、前記中心長手軸に対して角度をなすように撓むことができる、請求項１４に記載の取出し装置。
【請求項１７】
前記カプセルは、患者の幽門を通して挿入されるように構成される、請求項１４に記載の取出し装置。
【請求項１８】
前記カプセルは、前記カプセルの内部に医療装置を保持するように構成される、請求項１４に記載の取出し装置。
【請求項１９】
患者の体内から自己拡張式アンカーを引き出すように構成される、請求項１４に記載の取出し装置。
【手続補正２】
【補正対象書類名】明細書
【補正対象項目名】発明の名称
【補正方法】変更
【補正の内容】
【発明の名称】取出し装置
【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
疾患の診断測定を行うための診断測定システムであって、
患者に薬剤を送給するように構成された注射器具を備え、
前記注射器具は、
近位端と、
遠位端と、
前記近位端と前記遠位端の間に位置する上部と、
前記近位端と前記遠位端の間に位置する下部であって、当該下部は前記上部に対して遠位である下部と、
前記上部の側面に位置する複数の力センサと、を有し、
前記複数の力センサの各々は前記患者の複数の指のうちの一の指と対応し、前記複数の力センサは、前記患者の複数の指が前記複数の力センサと対応しながら、前記患者が前記注射器具を握った時に、前記患者の握力を測定するように構成され、
前記診断測定システムは、さらに、
前記１又は２以上の力センサからデータを読み取り、前記患者の握力に関する測定値を表示するよう構成されたプロセッサを備えるシステム。
【請求項２】
前記注射器具と一体化した１又は２以上の運動センサをさらに備える、請求項１に記載のシステム。
【請求項３】
前記１又は２以上の力センサは、前記注射器具の内部に位置する、請求項１に記載のシステム。
【請求項４】
前記１又は２以上の力センサは、前記注射器具の外側に位置する、請求項１に記載のシステム。
【請求項５】
外部装置に対してデータを送信するように構成された送信器をさらに備える、請求項１に記載のシステム。
【請求項６】
前記測定値を表示するためのディスプレイをさらに備える、請求項１に記載のシステム。
【請求項７】
前記プロセッサは、前記力センサのうちの１又は２以上による検出のために、１又は２以上のアクションを行うようにユーザに命令を提示するようにさらに構成される、請求項１に記載のシステム。
【請求項８】
１又は２以上の表示器をさらに備え、前記プロセッサは、前記１又は２以上の表示器をアクティブにすることで命令を提示するように構成される、請求項７に記載のシステム。
【請求項９】
前記表示器は、可視、可聴、又は触覚表示器のうちの１又は２以上のである、請求項８に記載のシステム。
【請求項１０】
前記プロセッサは、ユーザ入力の受信、外部装置からの信号の受信、予め定義されたタイムスケジュール、又は注射イベントのうちの１又は２以上に応答して命令を提示するように構成される、請求項７に記載のシステム。
【請求項１１】
前記握力は、前記患者の手及び指の圧縮力の測定結果である、請求項１に記載のシステム。
【請求項１２】
さらに、前記複数の力センサ上に位置する１又は２以上の外側被覆を備え、
前記外側被覆は、１又は２以上のテクスチャ表面を有し、
各テクスチャ表面は、前記複数の力センサの内の一つと対応させるために、前記患者の複数の指の一つの配置のための位置の表示を提供するように構成されている、請求項１に記載のシステム。
【請求項１３】
疾患の診断測定を行うための診断測定システムであって、
患者に薬剤を送給するように構成された注射器具と
前記注射器具の側面に位置し、前記患者が前記注射器具の側面を握った時に、前記患者の握力を測定するように構成された複数の力センサと、
前記複数の力センサ上に位置する１又は２以上の外側被覆と、を備え、
前記外側被覆は、１又は２以上のテクスチャ表面を有し、
各テクスチャ表面は、前記複数の力センサの内の一つと対応させるために、前記患者の複数の指の一つの配置のための位置の表示を提供するように構成されており、
前記診断測定システムは、さらに、
前記１又は２以上の力センサからデータを読み取り、前記患者の握力に関する測定値を表示するよう構成されたプロセッサを備えるシステム。
【請求項１４】
前記注射器具と一体化した１又は２以上の運動センサをさらに備える、請求項１３に記載のシステム。
【請求項１５】
外部装置に対してデータを送信するように構成された送信器をさらに備える、請求項１３に記載のシステム。
【請求項１６】
前記測定値を表示するためのディスプレイをさらに備える、請求項１に記載のシステム。
【請求項１７】
前記プロセッサは、前記力センサのうちの１又は２以上による検出のために、１又は２以上のアクションを行うようにユーザに命令を提示するようにさらに構成される、請求項１３に記載のシステム。
【請求項１８】
１又は２以上の表示器をさらに備え、前記プロセッサは、前記１又は２以上の表示器をアクティブにすることで命令を提示するように構成される、請求項１７に記載のシステム。
【請求項１９】
前記表示器は、可視、可聴、又は触覚表示器のうちの１又は２以上である、請求項１８に記載のシステム。
【請求項２０】
前記プロセッサは、ユーザ入力の受信、外部装置からの信号の受信、予め定義されたタイムスケジュール、又は注射イベントのうちの１又は２以上に応答して命令を提示するように構成される、請求項１７に記載のシステム。
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
ドラッグを保持するように構成された容器であって、弛緩状態及び膨張状態間で拡張可能な当該容器と、
この容器に流動的に結合されたコネクタであって、管腔がこのコネクタ内に形成されており、このコネクタ内で前記ドラッグが前記容器から前記管腔を経て送給個所に流れるように設定されている当該コネクタと、
前記管腔内のヒドロゲルであって、このヒドロゲルは前記容器からの前記ドラッグの送給レートを制御するとともに前記ドラッグを前記管腔から前記送給個所に送給するように構成されている当該ヒドロゲルと、
を具える涙腺ドラッグ送給デバイス。
【請求項２】
請求項１に記載の涙腺ドラッグ送給デバイスにおいて、前記ヒドロゲルは、前記涙腺ドラッグ送給デバイスが埋め込まれる前には前記ドラッグがこのヒドロゲルから分離された乾燥状態と、前記涙腺ドラッグ送給デバイスが埋め込まれた後には前記ドラッグがこのヒドロゲルにより吸収された湿潤状態とを有するようになっている涙腺ドラッグ送給デバイス。
【請求項３】
請求項１に記載の涙腺ドラッグ送給デバイスにおいて、前記コネクタは第２の管腔を有し、前記送給ガイドがこの第２の管腔の内部に除去可能に配置されている涙腺ドラッグ送給デバイス。
【請求項４】
請求項３に記載の涙腺ドラッグ送給デバイスにおいて、前記送給ガイドがガイドワイヤを有している涙腺ドラッグ送給デバイス。
【請求項５】
請求項４に記載の涙腺ドラッグ送給デバイスにおいて、前記ガイドワイヤはこれを貫通する開口部を有し、前記ドラッグがこの開口部を通って送給されて前記容器を弛緩状態から膨張状態に転移させるようにした涙腺ドラッグ送給デバイス。
【請求項６】
請求項３に記載の涙腺ドラッグ送給デバイスにおいて、この涙腺ドラッグ送給デバイスが更に、前記第２の管腔内にバルブを有し、前記涙腺ドラッグ送給デバイスが除去された際にこのバルブにより前記第２の管腔を封止するようになっている涙腺ドラッグ送給デバイス。
【請求項７】
請求項１に記載の涙腺ドラッグ送給デバイスであって、前記容器を患者の涙嚢内に送給するように前記容器に着脱自在に結合された送給ガイドをさらに具える涙腺ドラッグ送給デバイス。
【請求項８】
請求項１に記載の涙腺ドラッグ送給デバイスにおいて、前記ドラッグの流動抵抗が、前記ヒドロゲルの架橋結合により変更可能である涙腺ドラッグ送給デバイス。
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
投薬システムであって、
入力端部および出力端部を備えた投薬装置を含み、
前記出力端部に結合されたマスクを含み、前記マスクは、長手方向軸線に沿ってユーザの顔面との係合位置まで動くことができ、
前記マスクと前記投薬装置の前記入力端部との間に設けられた力センサを含み、前記力センサは、前記投薬装置によって前記長手方向軸線に沿って前記マスクに加えられている力に応答し、
前記マスクに加えられている力の大きさに関するフィードバックを前記ユーザに提供する表示器を含む、
ことを特徴とする投薬システム。
【請求項２】
前記投薬装置は、前記入力端部を備えた本体部分と、前記本体部分に結合されるとともに前記出力端部を備えた弁組立体を有し、前記マスクは、前記弁組立体に結合される、
請求項１記載の投薬システム。
【請求項３】
前記力センサは、前記マスクと前記弁組立体との間に設けられている、
請求項２記載の投薬システム。
【請求項４】
前記力センサは、前記弁組立体と前記本体部分との間に設けられている、
請求項２記載の投薬システム。
【請求項５】
前記表示器は、視覚表示器から成る、
請求項１記載の投薬システム。
【請求項６】
前記表示器は、聴覚表示器から成る、
請求項１記載の投薬システム。
【請求項７】
前記表示器は、振動表示器から成る、
請求項１記載の投薬システム。
【請求項８】
ユーザに薬物を投与するユーザインターフェースであって、前記ユーザインターフェースは、
投薬装置に結合されるようになった入力端部を含み、
前記入力端部に接続されていて前記ユーザの顔面に係合するようになった密封部分を備えるマスク部分を含み、
前記密封部分に結合された接触センサを含み、前記接触センサは、前記密封縁部となす接触に応答し、
前記センサと連絡状態にありかつ前記密封縁部となす前記接触に関するフィードバックを前記ユーザに提供するようになった表示器を含む、
ことを特徴とするユーザインターフェース。
【請求項９】
前記密封部分内に埋め込まれた複数のセンサを含む、
請求項８記載のユーザインターフェース。
【請求項１０】
前記表示器は、視覚表示器から成る、
請求項９記載のユーザインターフェース。
【請求項１１】
前記視覚表示器は、前記複数のセンサとそれぞれ関連した複数の灯を有する、
請求項１０記載のユーザインターフェース。
【請求項１２】
前記複数のセンサは、前記密封縁部の長さに沿って互いに間隔を置いて配置されている、
請求項１０記載のユーザインターフェース。
【請求項１３】
前記接触センサは、前記密封縁部に沿ってぐるりと延びる連続ストリップを含む、
請求項８記載のユーザインターフェース。
【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
ポリエーテルポリオール組成物を含んでなるイソシアネート反応性成分Ｂ）であって、該ポリエーテルポリオール組成物が、
ｂ１）前記ポリエーテルポリオール組成物の理論上計算された合計モル数に対して、３０〜４０ｍｏｌ％の量の第一ポリエーテルポリオールであって、１．６〜２．４の官能基数および６０〜１４０ｍｇ  ＫＯＨ／ｇのヒドロキシル価を有する第一ポリエーテルポリオール、
ｂ２）前記ポリエーテルポリオール組成物の理論上計算された合計モル数に対して、３５〜５５ｍｏｌ％の量の第二ポリエーテルポリオールであって、７．６〜８．４の官能基数および４８０〜５６０ｍｇ  ＫＯＨ／ｇのヒドロキシル価を有する第二ポリエーテルポリオール、並びに
ｂ３）前記ポリエーテルポリオール組成物の理論上計算された合計モル数に対して、１３〜２７ｍｏｌ％の量の、ジフェニルメタンジアミンおよび／またはトルエンジアミンに由来するポリエーテルポリオールから選択される第三ポリエーテルポリオールであって、３．６〜４．４の官能基数および２９０〜３７０ｍｇ  ＫＯＨ／ｇのヒドロキシル価を有する第三ポリエーテルポリオール、
を含んでなる、イソシアネート反応性成分Ｂ）。
【請求項２】
良好かつ平面的な表面外観を有するポリウレタンフォームの製造に有用な反応性ポリウレタン組成物であって、
１種以上のポリイソシアネートを含むイソシアネート成分Ａ）；
請求項１〜５のいずれか一項に記載のイソシアネート反応性成分Ｂ）；および
起泡剤Ｃ）、
を含んでなる、反応性ポリウレタン組成物。
【請求項３】
請求項２に記載の反応性ポリウレタン組成物の反応により得られる、ポリウレタンフォーム。
【請求項４】
シェルおよびその中のポリウレタンフォームを含むポリウレタン複合材を製造するための不連続方法であって、以下の工程：
ｉ）金型内でシェルを提供する工程
ｉｉ）金型を閉じる工程
ｉｉｉ）金型内の前記シェル中に請求項６に記載の反応性ポリウレタン組成物を射出する工程
ｉｖ）反応性ポリウレタン組成物を発泡させる工程
ｖ）シェルおよびポリウレタンフォームを含む生成したポリウレタン複合材を金型から取り出す工程
を含んでなる、不連続方法。
【請求項５】
請求項４に記載の不連続方法により製造されるポリウレタン複合材の使用であって、前記ポリウレタン複合材が、コンテナの天井パネル、側面パネル、底部パネルまたはドアパネル；組立住宅の天井パネル、側面パネル、底部パネルまたはドアパネル；冷蔵倉庫の天井パネル、側面パネル、底部パネルまたはドアパネル；空調の断熱パネル；および断熱管路から選択される、使用。